(57)【要約】【課題】視野角度が広いために汎用性があって種々の用途、使用態様のボンベに適応して使用可能となるバルブ用圧力計を提供することを課題とする。【解決手段】目盛り板が円錐形状の傾斜面３とそれに続く周側面４とから成り、指針７が前記傾斜面３及び前記周側面４に沿ったものであり、前記目盛り板の全体を覆うカバー９が全体的に透視可能であることを特徴とする。本考案に係るバルブ用圧力計の場合は、カバーが上面から側面にかけて透視可能であり、且つ、目盛り板が傾斜面とそれに続く周側面を有するものであるため、上方視、斜方視及び側方視が可能である。従って、通常行われているガスや液体のボンベの種々の使用態様のほとんど全てに対応して使用することが可能で、汎用性があり、経済的である。【選択図】図１
0003106995.tif 000002
【実用新案登録請求の範囲】
【請求項１】
目盛り板が円錐形状の傾斜面とそれに続く周側面とから成り、指針が前記傾斜面及び前記周側面に沿ったものであり、前記目盛り板の全体を覆うカバーが全体的に透視可能であることを特徴とするバルブ用圧力計。
【請求項２】
目盛り板が円錐形状の傾斜面であり、指針が前記傾斜面に沿ったものであり、前記目盛り板の全体を覆うカバーが全体的に透視可能であることを特徴とするバルブ用圧力計。
【考案の詳細な説明】
【技術分野】
【０００１】
本考案は容器用弁（以下「バルブ」とする）用圧力計、より詳細には、主に高圧ガス容器（以下「ボンベ」とする）に用いられるバルブに使用する圧力計で、指針の視野角度が広いバルブ用圧力計に関するものである。
【背景技術】
【０００２】
病院や在宅医療における医療酸素供給用とか、緊急現場での空気供給用その他種々の用途にボンベが用いられ、該ボンベには、圧力計の付いたバルブが取り付けられる。
【０００３】
図４に示す圧力計が取り付けられた図５に示すバルブは、通常、床や平面個所上に載置され、大体その状態で使用されるボンベ用であり、使用時に上方から見下ろすことが多いため、圧力計の目盛り及び指針は上面に配置され、上方から指針を確認することができるようになっている。
【０００４】
図６に示す圧力計が取り付けられた図７に示すバルブは、主に消防署等に採用されているもので、圧力計の設置状態は図５の場合と同じであるが、緊急時等において逆さにして背負って使用するタイプのボンベ用である。このように逆さにして背負った場合、指針の確認は側方からということになる。従って、この場合の圧力計の目盛りと指針は、側面に配置されている。
【０００５】
以上の２つのタイプの圧力計は、それぞれの用途ないし使用態様に対応して構成されており、その一方を他方の用途に用いるには不向きとなる。即ち、この２つのタイプの圧力計には互換性がなく、それぞれ別個に製造する必要がある。
【考案の開示】
【考案が解決しようとする課題】
【０００６】
上述したように従来のバルブ用圧力計の場合は、目盛りと指針の配置の点において互換性、汎用性がなく、それぞれの用途に合ったものを個別に用意しなければならず、ある意味不経済でもあり、不便でもあった。
【０００７】
そこで本考案はそのような欠点のない、即ち、視野角度が広いために汎用性があって種々の用途、使用態様のボンベに適応して使用可能となるバルブ用圧力計を提供することを課題とする。
【課題を解決するための手段】
【０００８】
上記課題を解決するために請求項１に係る考案は、目盛り板が円錐形状の傾斜面とそれに続く周側面とから成り、指針が前記傾斜面及び前記周側面に沿ったものであり、前記目盛り板の全体を覆うカバーが全体的に透視可能であることを特徴とするバルブ用圧力計を提唱する。
【０００９】
上記課題を解決するために請求項２に係る考案は、目盛り板が円錐形状の傾斜面であり、指針が前記傾斜面に沿ったものであり、前記目盛り板の全体を覆うカバーが全体的に透視可能であることを特徴とするバルブ用圧力計を提唱する。
【考案の効果】
【００１０】
本考案に係るバルブ用圧力計の場合は、カバーが上面から側面にかけて透視可能であり、且つ、目盛り板が傾斜面とそれに続く周側面を有するものであるため、上方視、斜方視及び側方視が可能である。従って、通常行われているガスや液体のボンベの種々の使用態様のほとんど全てに対応して使用することが可能で、汎用性があり、経済的である。
【考案を実施するための最良の形態】
【００１１】
本考案を実施するための最良の形態につき、添付図面（図１乃至図３）に依拠して説明する。先ず、図１及び図２に示す第１の実施形態について説明する。図１は本考案に係るバルブ用圧力計１を示す斜視図、図２は、それをボンベ１１に取り付けたバルブボディ１２に設置した状態を示す斜視図である。
【００１２】
圧力計１は、目盛り板を有する本体２とカバー９とから成り、本体２の目盛り板は、傾斜の緩い円錐形状の傾斜面３と、傾斜面３に続く周側面４とを有し、傾斜面３から周側面４にかけて目盛り線５が入れられ、傾斜面３と周側面４にそれぞれ目盛り数字６が表示される。そして、傾斜面３の中心部において軸支される指針７は、傾斜面３に沿い、更に折曲されて周側面４に沿って下方に延びたものとされる。
【００１３】
本体の底面中央部には、ガス等を導入するためのオネジ筒８が突設され、このオネジ筒８がバルブボディ１２に形成されるメネジ孔にネジ込まれることにより、圧力計１がバルブボディ１２に設置される。
【００１４】
カバー９の形状は特に問わず、円筒状、半球状等になし得る、全体的に透視可能に形成され、その上方、斜め上方及び側方から、目盛り（５、６）を読むことができるようにされる。
【００１５】
第２の実施形態は、上記第１の実施形態における目盛り板の周側面４を除いたものである。即ち、目盛り板は円錐形状の傾斜面３のみから成り、指針７は、傾斜面３に沿ったものとなる（図３）。その他の構成は第１の実施形態に準ずる。
【００１６】
圧力計１は上記のように構成されているため、上記図４及び図５に示した例のように、ボンベ１１が床等に置かれて圧力計１を上方から視認する場合は勿論、上記図６及び図７に示した例のようにボンベ１１を逆さにして背負い、圧力計１を側方から視認するような場合や斜方向から視認するような場合の全てに利用可能であり、十分な汎用性を具有する。また、バルブ及びボンベは、ガス用のみならず、液体用のものも含まれる。
【００１７】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１８】
【図１】本考案に係るバルブ用圧力計の第１の実施形態の斜視図である。
【図２】本考案に係るバルブ用圧力計の第１の実施形態の使用状態図である。
【図３】本考案に係るバルブ用圧力計の第２の実施形態の斜視図である。
【図４】従来のバルブ用圧力計の一構成例の斜視図である。
【図５】従来のバルブ用圧力計の一構成例の使用状態図である。
【図６】従来のバルブ用圧力計の他の構成例の斜視図である。
【図７】従来のバルブ用圧力計の他の構成例の使用状態図である。
【符号の説明】
【００１９】
１    圧力計
２    本体
３    傾斜面
４    周側面
５    目盛り線
６    目盛り数字
７    指針
８    オネジ筒
９    カバー
１１    ボンベ
１２    バルブボディ
【図１】
0003106995.tif 000003
【図２】
0003106995.tif 000004
【図３】
0003106995.tif 000005
【図４】
0003106995.tif 000006
【図５】
0003106995.tif 000007
【図６】
0003106995.tif 000008
【図７】
0003106995.tif 000009